(57)【要約】【課題】特にコネクタの小型化された構造において、信頼性の良い電気的な接続を保証する。【解決手段】少なくとも１つのロックエレメント１８ａ，１８ｂが、外側から当該コネクタ１０内に押込み可能であり、ロックエレメント１８ａ，１８ｂは、一部が、コネクタボディ１２に設けられた、電気的な線路を収容するための通路２９ｃを備えたコンタクトキャリヤ上側部分２４内に延びていて、別の一部が、電気的な線路を収容するための複数の通路２９ｄを備えたコンタクトキャリヤ下側部分２６内に延びている。【選択図】図４
2015005515.tif 000002
【特許請求の範囲】
【請求項１】
プラグインモジュールとの電気的な接続を形成するコネクタ（１０）であって、
当該コネクタ（１０）がコネクタボディ（１２）を備え、該コネクタボディ（１２）は、電気的な線路を収容するための複数の通路（２９ｃ）を備えたコンタクトキャリヤ上側部分（２４）と、コネクタベース（１４）とを有し、該コネクタベース（１４）は、プラグインモジュールに設けられたつばを収容するように形成されており、
当該コネクタ（１０）がコンタクトキャリヤ下側部分（２６）を備え、該コンタクトキャリヤ下側部分（２６）は、電気的な線路を収容するための複数の通路（２９ｄ）を有し、
前記コンタクトキャリヤ上側部分（２４）に設けられた前記通路（２９ｃ）は、前記コンタクトキャリヤ下側部分（２６）に設けられた前記通路（２９ｄ）と整合して、電気的な線路を収容するための一貫して延びる通路（２９ｃ，２９ｄ）を形成しており、
前記コンタクトキャリヤ下側部分（２６）は、プラグインモジュールのつばによって取り囲まれて、プラグインモジュールの複数のコンタクトを収容し、これにより当該コネクタ（１０）内の複数の電気的な線路と、プラグインモジュールの複数の電気的なコンタクトとの間の電気的な接続を形成するように構成されており、
当該コネクタ（１０）が少なくとも１つのロックエレメント（１８ａ，１８ｂ）を備え、該ロックエレメント（１８ａ，１８ｂ）は、外側から当該コネクタ（１０）内に押込み可能であり、該ロックエレメント（１８ａ，１８ｂ）は、複数の電気的な線路を前記通路（２９ｃ，２９ｄ）内に位置固定するために構成されている、
プラグインモジュールとの電気的な接続を形成するコネクタ（１０）において、
前記ロックエレメント（１８ａ，１８ｂ）は、一部が前記コンタクトキャリヤ上側部分（２４）内に延びていて、別の一部が前記コンタクトキャリヤ下側部分（２６）内に延びていることを特徴とする、プラグインモジュールとの電気的な接続を形成するコネクタ。
【請求項２】
前記ロックエレメント（１８ａ，１８ｂ）は、複数の電気的な線路を位置固定するために、櫛状に複数の櫛歯（２０ａ，２０ｂ）を備えており、該櫛歯（２０ａ，２０ｂ）は、電気的な線路を収容するための前記通路（２９ｃ，２９ｄ）の横断面の少なくとも部分範囲へ押込み可能であり、これにより電気的な線路が、前記コンタクトキャリヤ上側部分（２４）と前記コンタクトキャリヤ下側部分（２６）とに押圧されて位置固定される、請求項１記載のコネクタ。
【請求項３】
前記ロックエレメント（１８ａ，１８ｂ）は、複数の電気的な線路を主として静摩擦により位置固定する、請求項１または２記載のコネクタ。
【請求項４】
前記コンタクトキャリヤ上側部分（２４）も、前記コンタクトキャリヤ下側部分（２６）も、前記コンタクトキャリヤ上側部分（２４）と前記コンタクトキャリヤ下側部分（２６）との間の境界面に、前記通路（２９ｃ，２９ｄ）のそれぞれに接して、それぞれ互いに整合するように形成された切欠き（２８）を有しており、該切欠き（２８）内に前記ロックエレメント（１８ａ，１８ｂ）が押し込まれるようになっている、請求項１から３までのいずれか１項記載のコネクタ。
【請求項５】
前記ロックエレメント（１８ａ，１８ｂ）の櫛歯（２０ａ，２０ｂ）は前記切欠き（２８）内に形状接続的に係合するように形成されている、請求項４記載のコネクタ。
【請求項６】
当該コネクタ（１０）と前記ロックエレメント（１８ａ，１８ｂ）とは、前記ロックエレメント（１８ａ，１８ｂ）が前記通路（２９ｃ，２９ｄ）の長手方向延在方向に対して直交する横方向で当該コネクタ（１０）内に押込み可能となるように形成されている、請求項１から５までのいずれか１項記載のコネクタ。
【請求項７】
当該コネクタ（１０）の互いに反対の側に位置する２つの側で、少なくとも２つの前記ロックエレメント（１８ａ，１８ｂ）が、当該コネクタ（１０）内に押込み可能である、請求項１から６までのいずれか１項記載のコネクタ。
【請求項８】
前記２つのロックエレメント（１８ａ，１８ｂ）は、当該コネクタ（１０）内に押込み可能な前記櫛歯（２０ａ，２０ｂ）の数に関して互いに異なっている、請求項７記載のコネクタ。
【請求項９】
前記ロックエレメント（１８ａ，１８ｂ）は、単一部品として一体に形成されている、請求項１から８までのいずれか１項記載のコネクタ。
【請求項１０】
前記ロックエレメント（１８ａ，１８ｂ）は、プラスチックから成っている、請求項１から９までのいずれか１項記載のコネクタ。
【請求項１１】
請求項１から１０までのいずれか１項記載のコネクタ（１０）と、該コネクタ（１０）を収容するためのプラグインモジュールとを備えたコネクタシステム。
【発明の詳細な説明】
【技術分野】
【０００１】
本発明は、たとえば自動車における制御ユニットに用いられるワイヤハーネスコネクタのような、プラグインモジュール（Steckmodul）との電気的な接続を形成するコネクタに関する。
【背景技術】
【０００２】
車両においては、エンジンルームやボディスペースに多数の電気的および電子的な制御装置が取り付けられる。これらの制御装置は互いにかつ車両の別のコンポーネント、たとえばセンサやアクチュエータに電気的に接続されなければならない。
【０００３】
このためには、制御装置がプラグインモジュールを装備していてよい。プラグインモジュールに設けられたメールマルチプルコネクタには、たとえば電流供給および信号伝送のための数１００個の電気的なコンタクトが設けられていてよい。プラグインモジュールには、電気的な接続を形成するために、ワイヤハーネスに接続されている対応するコネクタを差し被せることができる。
【０００４】
電流供給または信号伝送の不具合に基づいた制御装置の故障を回避するためには、ワイヤハーネスとコネクタとの間の長寿命でかつ安定的な電気的な接続が保証されていなければならない。このためには、コネクタ内の電気的な線路がしばしば二次ロック機構によってコネクタ内部での所定の位置に位置固定され、この位置では、コネクタがプラグインモジュールに差し被せられている場合に、コネクタ内の電気的な線路がプラグインモジュールの電気的なコンタクトに接続されていることが確保されている。
【発明の概要】
【発明が解決しようとする課題】
【０００５】
本発明の課題は、冒頭で述べたコネクタを改良して、特にコネクタの小型化された構造において、信頼性の良い電気的な接続を保証することのできるような、車両のワイヤハーネス用のコネクタを提供することである。
【課題を解決するための手段】
【０００６】
この課題を解決するために本発明の構成では、プラグインモジュールとの電気的な接続を形成するコネクタであって、
当該コネクタがコネクタボディを備え、該コネクタボディは、電気的な線路を収容するための複数の通路を備えたコンタクトキャリヤ上側部分と、コネクタベースとを有し、該コネクタベースは、プラグインモジュールに設けられたつばを収容するように形成されており、
当該コネクタがコンタクトキャリヤ下側部分を備え、該コンタクトキャリヤ下側部分は、電気的な線路を収容するための複数の通路を有し、
前記コンタクトキャリヤ上側部分に設けられた前記通路は、前記コンタクトキャリヤ下側部分に設けられた前記通路に開口して、すなわち前記コンタクトキャリヤ下側部分に設けられた前記通路と整合して、電気的な線路を収容するための一貫して延びる通路を形成しており、
前記コンタクトキャリヤ下側部分は、プラグインモジュールのつばによって取り囲まれて、プラグインモジュールの複数のコンタクトを収容し、これにより当該コネクタ内の複数の電気的な線路と、プラグインモジュールの複数の電気的なコンタクトとの間の電気的な接続を形成するように構成されており、
当該コネクタが少なくとも１つのロックエレメントを備え、該ロックエレメントは、外側から当該コネクタ内に押込み可能であり、該ロックエレメントは、複数の電気的な線路を前記通路内に位置固定するために構成されている、
プラグインモジュールとの電気的な接続を形成するコネクタにおいて、
前記ロックエレメントは、一部が前記コンタクトキャリヤ上側部分内に延びていて、別の一部が前記コンタクトキャリヤ下側部分内に延びているようにした。
【０００７】
本発明の好適な実施態様は、従属項の形の請求項および以下の説明から明らかとなる。
【発明の効果】
【０００８】
本発明の構成では、コネクタが、コネクタボディを備え、このコネクタボディは電気的な線路を収容するための複数の通路を備えたコンタクトキャリヤ上側部分と、コネクタベースとを有し、この場合、コネクタベースは、コネクタが、電気的な接続を形成するためにプラグインモジュールに差し被される際に、プラグインモジュールに設けられたつばを収容するように形成されている。さらに、前記コネクタはコンタクトキャリヤ下側部分を備え、このコンタクトキャリヤ下側部分は、電気的な線路を収容するための複数の通路を有し、この場合、コンタクトキャリヤ上側部分に設けられた通路は、コンタクトキャリヤ下側部分に設けられた通路に開口して、すなわちコンタクトキャリヤ下側部分に設けられた通路と整合して、電気的な線路を収容するための一貫して延びる通路を形成する。コンタクトキャリヤ下側部分は、プラグインモジュールのつばによって取り囲まれて、プラグインモジュールの複数の電気的なコンタクトを収容し、これにより当該コネクタ内の複数の電気的な線路と、プラグインモジュールの複数の電気的なコンタクトとの間の電気的な接続を形成するように構成されている。さらに前記コネクタは、少なくとも１つのロックエレメントを備え、このロックエレメントは、外側から当該コネクタ内に押込み可能であり、このロックエレメントは、複数の電気的な線路を前記通路内に位置固定するために構成されている。このために、このロックエレメントは、一部がコンタクトキャリヤ上側部分内に延びていて、別の一部がコンタクトキャリヤ下側部分内に延びている。
【０００９】
全体的には、このコネクタは、とりわけ車両内のワイヤハーネスの電気的な線路と制御装置との間の長寿命でかつ安定的な接続を提供するように構成され得る。この場合、ロックエレメントを用いて、特に小型構造のコネクタにおいても、電気的な線路を前記通路内に信頼性良く位置固定することができる。
【００１０】
さらに、コネクタ内にロックエレメントを押し込むことにより、コネクタ内の電気的な線路が正しく位置決めされていることが確保され得る。これにより、コネクタがプラグインモジュールに差し被されると、プラグインモジュールの電気的なコンタクトと、コネクタ内の電気的な線路との間に電気的な接続が形成され得る。コネクタ内の電気的な線路が正しく位置決めされていないと、ロックエレメントをコネクタ内に押し込むことができないか、または過剰に力を加えないと押し込むことができない。したがって、ロックエレメントは、コネクタ内の電気的な線路の位置を検査するために役立つことができる。
【００１１】
本発明の別の実施態様では、ロックエレメントが、複数の電気的な線路を位置固定するために、櫛状に複数の櫛歯を備えており、これらの櫛歯は、電気的な線路を収容するための前記通路の横断面の少なくとも部分範囲へ押込み可能であり、これにより電気的な線路は、コンタクトキャリヤ上側部分とコンタクトキャリヤ下側部分とに押圧され、このときに位置固定される。
【００１２】
本発明の構成に至る思想は、とりわけ以下に説明する認識に基づいているとみなすことができる：車両に取り付けられたセンサおよびアクチュエータの数ならびにセンサの情報を処理しかつアクチュエータを制御することのできる相応する制御ユニットの数は、増え続けている。しかし、車両内で、センサ、アクチュエータおよび制御ユニットのために提供されている空間は著しく制限されている恐れがあるので、車両のこれらのコンポーネントはますます小型化された構造で製造される傾向にある。このことは、コンポーネント間の電気的な接続を形成することのできる所属のコネクタおよびプラグインモジュールにも該当する。そこで、たとえばロックエレメントが、従来汎用されているようにコンタクトキャリヤ下側部分内にのみ案内され、したがって比較的小さな横断面しか有しない場合には、ロックエレメントの櫛歯が、特に小型化された構造において、コネクタ内への押込み時にワイヤハーネスコネクタから容易に破折してしまう恐れがあることが判った。
【００１３】
コンタクトキャリヤ上側部分とコンタクトキャリヤ下側部分とにおけるロックエレメントの本発明における案内により、ロックエレメントの櫛歯の横断面を増大させることができるという利点が得られる。これにより、ロックエレメントおよび特にロックエレメントの櫛歯を一層頑丈に形成することができる。さらに、櫛歯の横断面の増大に基づき、ロックエレメントの案内が改善されるという利点も得られる。これにより、安定的でかつ長寿命の、ひいては信頼性の良い電気的な接続が保証され得る。
【００１４】
本発明のさらに別の実施態様では、ロックエレメントが、コネクタ内の複数の電気的な線路を主として静摩擦により位置固定する。
【００１５】
コンタクトキャリヤ上側部分にもコンタクトキャリヤ下側部分にもロックエレメントが案内され、ひいては櫛歯の横断面が増大されることに基づき、コネクタ内の電気的な線路が静摩擦によって位置固定される際に用いられ、かつロックエレメント自体がコネクタ内に保持される際に用いられる面を増大させることができる。これにより、コネクタ内の電気的な線路が、たとえば振動に基づいてずれ動く恐れもなくなり、ロックエレメントは信頼性良くコネクタ内に位置固定され得る。したがって、このことは電気的な接続の安定性および寿命を高めることができるので好適である。
【００１６】
本発明のさらに別の実施態様では、コンタクトキャリヤ上側部分も、コンタクトキャリヤ下側部分も、コンタクトキャリヤ上側部分とコンタクトキャリヤ下側部分との間の境界面に、前記通路のそれぞれに接して、それぞれ互いに整合するように形成された切欠きを有しており、この切欠き内にロックエレメントを押し込むことができる。
【００１７】
互いに整合するように形成された切欠き内に櫛歯を押し込むことにより、電気的な線路は、コンタクトキャリヤ上側部分に設けられた通路の壁にも、コンタクトキャリヤ下側部分に設けられた通路の壁にも押圧され、これにより位置固定され得る。
【００１８】
本発明のさらに別の実施態様では、ロックエレメントの櫛歯が前記切欠き内に形状接続的に係合するように、つまり係合に基づいた嵌合により結合されるように、形成されている。
【００１９】
ロックエレメントの櫛歯の、前記切欠き内に形状接続的に係合する構成により、第１に、櫛歯の表面全体を、電気的な線路およびロックエレメントの固定のために使用することができ、第２にコネクタ内での電気的な線路の正確な位置決めもしくは正しい位置を確保することができる。なぜならば、正しい位置からの小さなずれが生じただけでも、もはやロックエレメントをコネクタ内に押し込むことができなくなるか、または力を過剰に加えないと押し込むことができなくなるからである。
【００２０】
本発明のさらに別の実施態様では、コネクタとロックエレメントとは、ロックエレメントが前記通路の長手方向延在方向に対して直交する横方向で当該コネクタ内に押込み可能となるように形成されている。
【００２１】
その結果、ロックエレメントの１つの櫛歯が、複数の通路内の複数の電気的な線路を同時に位置固定し得るようになる。なぜならば、もしも櫛歯が前記通路の長手方向延在方向に沿って押し込まれるようにすると、通路１つ当たり１つの櫛歯がロックエレメントに設けられていなければならないからである。さらに、本発明の構成では、櫛歯を通路の長手方向延在方向に沿って押し込むような構成と比較して、櫛歯の横断面を、より大きく形成することができる。なぜならば、特にコネクタの小型化された構造においては、通路の直径が比較的小さく形成されているので、櫛歯を通路の長手方向延在方向に沿って押し込むような構成では、櫛歯の横断面を大きく形成することができないからである。
【００２２】
本発明のさらに別の実施態様では、コネクタの互いに反対の側に位置する２つの側で、少なくとも２つのロックエレメントが、コネクタ内に押込み可能である。
【００２３】
コネクタの互いに反対の側に位置する２つの側で２つのロックエレメントを押し込むことにより、各ロックエレメントの櫛歯を一層短く形成することができる。これにより、ロックエレメントは一層安定的でかつ一層頑丈に形成され得ると同時に、櫛歯は、著しく長い櫛歯を備えた１つのロックエレメントしか設けられていないような構成に比べて、簡単には破折し得なくなる。なぜならば、本発明の構成では、てこ力が小さくなり得るからである。しかし、両ロックエレメントの櫛歯の長さは同一である必要はなく、両ロックエレメントの櫛歯の互いに異なる長さが設定されていてよい。個々のロックエレメントの櫛歯も、その長さに関して互いに異なっていてよい。しかし、特にコネクタの小型化された構造においては、唯一つのロックエレメントしか有しないコネクタの構成も十分に考えられる。
【００２４】
本発明のさらに別の実施態様では、前で説明した実施態様において、２つのロックエレメントが、コネクタ内に押込み可能な櫛歯の数に関して互いに異なっている。
【００２５】
一般に、１つのコネクタ内には、種々の目的、たとえば電流案内や信号伝送のための電気的な線路が収納されている。これらの電気的な線路はその数に関してもその直径に関しても種々異なっている。電気的な線路の種々異なる直径に基づき、これらの電気的な線路を貫通案内するための通路も種々異なる直径を有していてよい。たとえばコネクタ内部で電流線路と信号線路とを十分に分離するためには、コネクタの所定の部分範囲には、電流線路のための通路しか設けられておらず、別の部分範囲には、信号線路のための通路しか設けられていなくてもよい。これらの通路は、直径や、これらの通路が相並んで配置されている列の数の点で互いに異なっていてよい。このことにより、全ての電気的な線路を正しく位置決めしかつ位置固定し得るようにするためには、コネクタの各部分範囲における通路の列の数に相当し得る、種々異なる個数の櫛歯を有するロックエレメントがコネクタ内に押し込まれなければならないことが必要となり得る。
【００２６】
本発明のさらに別の実施態様では、ロックエレメントが、単一部品として一体に形成されている。
【００２７】
ロックエレメントの一体の形成に基づき、ロックエレメントの安定性を一層高めることができ、かつコネクタのための製作プロセスを単純化することができる。なぜならば、少数の個別コンポーネントしか必要とならないからである。このことは、さらに製作プロセスのためのコストを減少させることができる。
【００２８】
本発明のさらに別の実施態様では、ロックエレメントが、プラスチックから成っている。
【００２９】
負荷耐性を有すると同時にある程度のフレキシブル性を有する材料としてのその材料特性に基づいて、プラスチックはロックエレメントの要求に好適に応えることができる。さらに、プラスチックは比較的僅かな製造コストをかけるだけで、たとえば射出成形により所望の形状にもたらすことができるので、製作プロセスを安価に形成することができる。しかし、ロックエレメントのための別の材料も十分に考えられる。
【００３０】
本発明はさらに、本発明によるコネクタと、該コネクタを収容するためのプラグインモジュールとを備えたコネクタシステムに関する。このコネクタシステムは、たとえば自動車内のワイヤハーネスと制御装置との間の電気的な接続を形成するために役立つことができる。この場合、プラグインモジュールは制御装置に取り付けられていてよく、そしてコネクタは車両のワイヤハーネスに接続されていてよい。
【００３１】
念のため付言しておくと、本発明の実施態様の可能な特徴および利点は、コネクタもしくはコネクタシステムの種々異なる構成に関して説明されている。当業者であれば、別の実施態様および場合によっては相乗効果を得るために、前記特徴を適宜に組み合わせるか、もしくは入れ替えることができることが判る。
【００３２】
以下に、本発明の実施形態を図面につき説明するが、ただし以下の説明も図面も、本発明を限定するものではない。
【図面の簡単な説明】
【００３３】
【図１】本発明の１実施形態によるコネクタの斜視図である。
【図２】図１に示したコネクタの一部を示す斜視図である。
【図３】図２に示したコネクタの一部を示す分解図である。
【図４】図３に示したコネクタの部分を中心平面に沿って断面した横断面図である。
【図５】図４に示したコネクタの横断面図の一部の詳細図である。
【発明を実施するための形態】
【００３４】
以下に、本発明を実施するための形態を図面につき詳しく説明する。図面は概略的なものであるに過ぎず、縮尺通りに描かれたものではない。基本的に、同一の構成部分または類似の構成部分は同じ符号で示されている。
【００３５】
図１には、コネクタカバー１１とコネクタレバー１３とコネクタボディ１２とを備えたコネクタ１０が図示されている。コネクタボディ１２はコネクタベース１４を有しており、このコネクタベース１４は、プラグインモジュール（図示しない）との電気的な接続を形成するために、プラグインモジュールに差し被せることができる。コネクタカバー１１は収容開口１５を有しており、この収容開口１５を介して、ワイヤハーネスの電気的な線路をコネクタボディ１２内に案内することができる。
【００３６】
コネクタベース１４はさらに切抜き部１６を有している。この切抜き部１６を介して、ロックエレメント１８ａ（図２参照）が外部からコネクタ１０内に押込み可能である。
【００３７】
コネクタレバー１３はコネクタボディ１２を２つのアーム１７によってＵ字形に取り囲んでいる。両アーム１７の端部には、それぞれ１つのシャフト１９が設けられている。両シャフト１９は、コネクタベース１４の互いに反対の２つの側に収容されている。両アーム１７はクロスビーム２１に結合されており、このクロスビーム２１には、コネクタレバーが確実に終端位置に位置している場合にのみコネクタのロックを許すコネクタ安全装置２３が取り付けられている。
【００３８】
コネクタレバー１３は、開始位置から終端位置へ運動させられて、このときにコネクタ１０をプラグインモジュールに引き付けるように形成されている。図１には、コネクタレバー１３が終端位置で図示されており、この場合、コネクタ安全装置２３はプラグインモジュールとの電気的な接続を確保するためにロックされている。
【００３９】
図２には、図１に示したコネクタ１０がコネクタカバー１１なしで図示されている。コネクタボディ１２はコンタクトキャリヤ上側部分２４を有しており、このコンタクトキャリヤ上側部分２４は収容範囲２５を有しており、この収容範囲２５内にはプリント配線板２７が挿入されている。プリント配線板２７は、コネクタボディ１２内に電気的な線路を貫通案内するための複数の通路２９ａを有している。
【００４０】
さらに図２には、２つのロックエレメント１８ａ，１８ｂが図示されている。両ロックエレメント１８ａ，１８ｂは、コネクタ１０の互いに反対の２つの側に設けられた切抜き部１６（一方の切抜き部しか図示されていない）を介し、コネクタベース１４を通してコネクタ１０内に押込み可能である。ロックエレメント１８ａ，１８ｂは、コネクタ１０内の電気的な線路を位置固定するために形成されている。
【００４１】
ロックエレメント１８ａ，１８ｂはそれぞれ複数の櫛歯２０ａ，２０ｂを有している。これらの櫛歯２０ａ，２０ｂはクロスステー２２ａ，２２ｂに結合されていて、このクロスステー２２ａ，２２ｂから櫛状に突出している。両ロックエレメント１８ａ，１８ｂはこの場合、櫛歯の数および長さに関して互いに異なっていてよい。
【００４２】
図３には、コネクタ１０がコネクタカバー１１およびコネクタレバー１３なしに分解図で図示されている。コネクタボディ１２のコンタクトキャリヤ上側部分２４に設けられた収容範囲２５内には、コンタクトキャリヤ上側部分２４とプリント配線板２７との間でマットシール部材３１が挿入可能である。
【００４３】
マットシール部材３１は電気的な線路を密に貫通案内するための複数の通路２９ｂを有している。コネクタベース１４には、さらにコンタクトキャリヤ下側部分２６が挿入可能である。このコンタクトキャリヤ下側部分２６は電気的な線路を収容するための複数の通路２９ｄを有している。プリント配線板２７とシール部材３１とがコンタクトキャリヤ上側部分２４の収容範囲２５内に挿入されていると、プリント配線板２７に設けられた複数の通路２９ａがマットシール部材３１の通路２０ｂに開口し、すなわち通路２９ｂと整合し、マットシール部材３１の通路２９ｂはコンタクトキャリヤ上側部分２４に設けられた通路２９ｃに開口し、すなわち通路２９ｃと整合し、コンタクトキャリヤ上側部分２４の通路２９ｃはコンタクトキャリヤ下側部分２６の通路２９ｄに開口し、すなわち通路２９ｄと整合するので、一貫した通路２９ａ，２９ｂ，２９ｃ，２９ｄが形成される。
【００４４】
ワイヤハーネスの電気的な線路は、こうしてコネクタカバー１１に設けられた収容開口１５を介して、一貫して延びる通路２９ａ，２９ｂ，２９ｃ，２９ｄを通じてコネクタボディ１２内に案内され得る。この場合、一貫して延びる通路２９ａ，２９ｂ，２９ｃ，２９ｄの延在方向により、コネクタ１０の軸方向が規定される。コネクタ１０がプラグインモジュールに差し被せられると、プラグインモジュールの電気的なコンタクト（図示しない）はコンタクトキャリヤ下側部分２６によって収容され、これによりプラグインモジュールの電気的なコンタクトと、コネクタボディ１２の通路２９ａ，２９ｂ，２９ｃ，２９ｄ内の電気的な線路との間の電気的な接続が形成される。
【００４５】
コンタクトキャリヤ上側部分２４と、プリント配線板２７と、マットシール部材３１と、コンタクトキャリヤ下側部分２６とは、それぞれ種々異なる直径を有する通路を有していてよく、これらの通路は、種々異なる直径を有する電気的な線路、たとえば電流供給用の線路および／または信号伝送用の線路の貫通案内または収容のために使用され得る。
【００４６】
コネクタベース１４内には、さらにコンタクトキャリヤ上側部分２４とコンタクトキャリヤ下側部分２６との間でシールエレメント３３が挿入可能である。このシールエレメント３３はコネクタボディ１２の内部でコンタクトキャリヤ上側部分２４を巡るように延びている。シールエレメント３３は、プラグインモジュールに設けられたつば（図示しない）とコネクタベース１４との間に収容されて、プラグインモジュールに差し被されたコネクタ１０が周辺環境に対してシールされるようにするために形成されている。
【００４７】
図４には、図３に示したコネクタ１０のコンポーネントを、軸方向に対して平行な中心平面に沿って断面した横断面図が示されている。この場合、プリント配線板２７とマットシール部材３１とがコンタクトキャリヤ上側部分２４の収容範囲２５内に挿入されていて、コンタクトキャリヤ下側部分２６がコネクタベース１４内に挿入されているので、通路２９ａ，２９ｂ，２９ｃ，２９ｄはそれぞれ互いに開口もしくは整合し合って、電気的な線路を貫通案内するための一貫した通路を形成している。マットシール部材３１の通路２９ｂは、さらにそれぞれ１つのくびれ状の減径範囲３５を有しており、この減径範囲３５は、マットシール部材３１の内部で電気的な線路を密に取り囲むように形成されている。
【００４８】
さらに、ロックエレメント１８ｂが、コンタクトキャリヤ上側部分２４とコンタクトキャリヤ下側部分２６との間の境界面に跨がるようにコネクタ１０内に押し込まれている。この場合、ロックエレメント１８ｂの櫛歯２０ｂは、通路２９ｃ，２９ｄのそれぞれに接しかつそれぞれ互いに整合するように配置された切欠き２８内に押し込まれている。したがって、ロックエレメント１８ｂの櫛歯２０ｂはその横断面に関して一部はコンタクトキャリヤ上側部分２４内に延びていて、別の一部はコンタクトキャリヤ下側部分２６内に延びている。ロックエレメント１８ｂの櫛歯２０ｂはこの場合、通路２９ｃ，２９ｄの長手方向延在方向に対して直交する横方向で、すなわち軸方向に対して直角に、通路２９ｃ，２９ｄ内に係合するので、それぞれ通路２９ｃ，２９ｄの横断面の部分範囲が櫛歯２０ｂによって占められる。この場合、通路２９ｃ，２９ｄ内の電気的な線路はそれぞれ通路２９ｃ，２９ｄの壁に押圧されるので、これらの電気的な線路は静摩擦によって位置固定されている。
【００４９】
図５には、コンタクトキャリヤ上側部分２４とコンタクトキャリヤ下側部分２６との間の境界面の詳細図が示されている。図５からは、ロックエレメント１８ｂの、互いに整合するように形成された切欠き２８内に押し込まれた櫛歯２０ｂが良く判る。
【００５０】
櫛歯２０ｂは、コンタクトキャリヤ上側部分２４内に延びる方形の上側範囲３０と、コンタクトキャリヤ下側部分２６内に延びる方形の下側範囲３２と、コンタクトキャリヤ上側部分２４とコンタクトキャリヤ下側部分２６との間の境界面に延びて、上側範囲３０と下側範囲３２とを結合する台形状の中央範囲３４とを有している。方形の上側範囲３０は辺長さに関して、方形の下側範囲３２よりも小さく形成されている。
【００５１】
櫛歯２０ｂの横断面に対応するように切欠き２８も形成されているので、櫛歯２０ｂは切欠き２８内に形状接続的に係合する。
【００５２】
しかし、ロックエレメント１８ｂの櫛歯２０ｂの横断面ならびに切欠き２８の横断面は、必ずしも上で説明したように形成されている必要はない。たとえば櫛歯２０ｂはその全横断面に関して完全に台形、三角形、方形または任意の別の形状に形成されていてもよく、その場合、切欠き２８は櫛歯２０ｂの横断面に対応するように形成されており、これにより櫛歯２０ｂは切欠き２８内に形状接続的に係合することができ、こうしてコネクタ１０内の電気的な線路を位置固定することができる。
【符号の説明】
【００５３】
１０  コネクタ
１１  コネクタカバー
１２  コネクタボディ
１３  コネクタレバー
１４  コネクタベース
１５  収容開口
１６  切抜き部
１７  アーム
１８ａ，１８ｂ  ロックエレメント
１９  シャフト
２０ａ，２０ｂ  櫛歯
２１  クロスビーム
２２ａ，２２ｂ  クロスステー
２３  コネクタ安全装置
２４  コンタクトキャリヤ上側部分
２５  収容範囲
２６  コンタクトキャリヤ下側部分
２７  プリント配線板
２８  切欠き
２９ａ，２９ｂ，２９ｃ，２９ｄ  通路
３０  上側範囲
３１  マットシール部材
３２  下側範囲
３３  シールエレメント
３４  中央範囲
３５  減径範囲
【図１】
2015005515.tif 000003
【図２】
2015005515.tif 000004
【図３】
2015005515.tif 000005
【図４】
2015005515.tif 000006
【図５】
2015005515.tif 000007